(57)【要約】［課題］  無線通信端末の通信レートを低下させることなく、基地局の負荷を効果的に分散させる。［解決手段］  無線通信端末は、共通部分を有する第１セルおよび第２セルを含む無線ネットワークで使用される。無線通信端末は、第１セルの無線品質である第１品質と、第２セルの無線品質である第２品質と、を求める品質算出手段と、第１セルの使用可能周波数リソース数である第１リソース数と、第２セルの使用可能周波数リソース数である第２リソース数と、を求めるリソース数算出手段と、第１品質と第１リソース数とを演算した結果に基づいて第１セルのセル選択係数である第１セル選択係数を求め、第２品質と第２リソース数とを演算した結果に基づいて第２セルのセル選択係数である第２セル選択係数を求める係数算出手段と、第１セル選択係数と第２セル選択係数とを演算した結果に基づいて、第１セルと第２セルのいずれか一方を選択するセル選択手段と、を備える。
2015079695.tif 000002
【特許請求の範囲】
【請求項１】
共通部分を有する第１セルおよび第２セルを含む無線ネットワークで使用される無線通信端末であって、
前記第１セルの無線品質である第１品質と、前記第２セルの無線品質である第２品質と、を求める品質算出手段と、
前記第１セルの使用可能周波数リソース数である第１リソース数と、前記第２セルの使用可能周波数リソース数である第２リソース数と、を求めるリソース数算出手段と、
前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出手段と、
前記第１セル選択係数と前記第２セル選択係数とを演算した結果に基づいて、前記第１セルと前記第２セルのいずれか一方を選択するセル選択手段と
を備えることを特徴とする無線通信端末。
【請求項２】
前回算出された、前記第１セル選択係数および前記第２セル選択係数を記憶する記憶手段を、更に備え、
前記係数算出手段は、前記第１品質と前記第１リソース数と前回算出された前記第１セル選択係数とに基づいて前記第１セル選択係数を求め、前記第２品質と前記第２リソース数と前回算出された前記第２セル選択係数とに基づいて前記第２セル選択係数を求める
ことを特徴とする請求項１に記載の無線通信端末。
【請求項３】
所定の期間内におけるセル切替回数を求める回数算出手段と、
前記セル切替回数に基づいて、前記所定の期間におけるセル切替頻度を示す値である忘却係数を定める係数設定手段と
を、更に備え、
前記係数算出手段は、前記第１セル選択係数に対する前回算出された前記第１セル選択係数の影響度を前記忘却係数に応じて変化させ、前記第２セル選択係数に対する前回算出された前記第２セル選択係数の影響度を前記忘却係数に応じて変化させる
ことを特徴とする請求項２に記載の無線通信端末。
【請求項４】
前記セル選択手段は、前記第１セル選択係数と、前記第２セル選択係数に予め定められたオフセット値を加算したものとの大小を比較し、その比較の結果に応じてセルを選択することを特徴とする請求項１乃至請求項３のいずれか１項に記載の無線通信端末。
【請求項５】
前記第１セル及び第２セルのいずれかにおける現在の収容端末数に応じて、前記オフセット値を求めるオフセット算出手段を、更に備えることを特徴とする請求項４に記載の無線通信端末。
【請求項６】
前記オフセット算出手段は、収容端末数を複数に区分し、前記区分に応じてオフセット調整値を定め、予め定められた初期オフセット値から前記オフセット調整値を減算することにより、前記オフセット値を求めることを特徴とする請求項５に記載の無線通信端末。
【請求項７】
請求項１乃至請求項６のいずれかに記載の無線通信端末と、
前記第１セルを形成する第１基地局と、
前記第２セルを形成する第２基地局と
を備える無線通信システム。
【請求項８】
共通部分を有する第１セルおよび第２セルを含む無線ネットワークで使用される無線通信端末のコンピュータに、
前記第１セルの無線品質である第１品質と、前記第２セルの無線品質である第２品質と、を求める品質算出機能と、
前記第１セルの使用可能周波数リソース数である第１リソース数と、前記第２セルの使用可能周波数リソース数である第２リソース数と、を求めるリソース数算出機能と、
前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出機能と、
前記第１セル選択係数と前記第２セル選択係数とを演算した結果に基づいて、前記第１セルと前記第２セルのいずれか一方を選択するセル選択機能と
を実行させるためのセル選択プログラムを記憶する記憶媒体。
【請求項９】
共通部分を有する第１セルおよび第２セルを含む無線ネットワークで使用される無線通信端末におけるセル選択方法であって、
前記第１セルの無線品質である第１品質と、前記第２セルの無線品質である第２品質と、を求め、
前記第１セルの使用可能周波数リソース数である第１リソース数と、前記第２セルの使用可能周波数リソース数である第２リソース数と、を求め、
前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求め、
前記第１セル選択係数と前記第２セル選択係数とを演算した結果に基づいて、前記第１セルと前記第２セルのいずれか一方を選択する
ことを特徴とするセル選択方法。
【発明の詳細な説明】
【技術分野】
【０００１】
本発明は、ネットワーク、特に、互いに異なる大きさのセルを混合して利用する所謂ヘテロジーニアスネットワークにおける無線通信端末、記憶媒体、及びセル選択方法に関する。
【背景技術】
【０００２】
高速で大容量の通信を実現するための次世代無線通信システムとして、標準化団体である3GPP（3rd Generation Partnership Project）で標準化されたLTE-Advanced（Long Term Evolution-Advanced）が知られている。非特許文献１に記載されているように、LTE-Advancedでは、マクロセル基地局によって形成されるマクロセル内にマクロセルよりもセル半径が小さいピコセルを有するピコセル基地局が配置されたヘテロジーニアスネットワークが提供されている。なお、一般的に、マクロセルの半径は数百〜数千メートルであり、ピコセルの半径は数十〜数百メートルである。【０００３】
例えば、図１３に示されるように、ヘテロジーニアスネットワークにおける無線通信システム６００は、複数の無線基地局（例えば、マクロセル基地局６１とピコセル基地局６２）と、無線通信端末(User Equipment)(以降、「ＵＥ」と呼ぶ)６３と、を備える。無線基地局の各々は、S1インタフェース６４を介して、無線基地局の上位ノードであるコア・ネットワーク部のMME/SAE-GW６５と通信することができる。上記において、MME/SAE-GWは、Mobility Management Entity / System Architecture Evolution Gatewayの略である。また、無線基地局の各々は、X2インタフェース６６を介して互いに通信することができる。マクロセル６７は、マクロセル基地局６１が通信可能なセルである。マクロセル６７のセル半径よりも小さいセル半径を有するピコセル６８が、マクロセル６７内に形成される。ピコセル６８は、ピコセル基地局６２が通信可能なセルである。上記セル配置により、ピコセル６８は、マクロセル６７に接続されているＵＥ６３を収容することができる。従って、マクロセル基地局６１の負荷を分散させることができる。ＵＥ６３がマクロセル６７内に位置する場合、ＵＥ６３は、基本的には、マクロセル基地局６１と通信するが、更にＵＥ６３がピコセル６８内に位置する場合、ＵＥ６３は、マクロセル基地局６１ではなく、ピコセル基地局６２と通信する。【０００４】
さらに、通常、ヘテロジーニアスネットワークにおいて、ＵＥは、マクロセル基地局から送信される無線信号のＵＥでの受信品質(以降、「マクロセルの無線品質」と呼ぶ)と、ピコセル基地局から送信される無線信号のＵＥでの受信品質(以降、「ピコセルの無線品質」と呼ぶ)とを比較し、無線品質がより高い方の基地局に接続する。しかしながら、一般的には、マクロセル基地局の送信電力は、ピコセル基地局の送信電力よりも高いため、多くの場合、マクロセルの無線品質は、ピコセルの無線品質よりも高くなる。従って、ＵＥがピコセルに収容される機会が減少する。結果として、マクロセル基地局の負荷が十分に分散されなくなる問題が発生する虞がある。【０００５】
上記問題に対して、非特許文献２は、LTE-Advancedにおいて、CRE（Cell Range Expansion)によるセル選択を行なうことを提案している。CREによるセル選択において、ＵＥ６３は、ピコセルの無線品質にオフセット値を加える。オフセット値を加えることにより、ピコセル６８は、図１３に示されるように、セル半径が拡大されたピコセル６９へと変更される。これにより、ＵＥの接続先としてピコセルが選択される機会が増加するので、マクロセル基地局の負荷分散が期待できる。【０００６】
なお、特許文献１には、第１の無線基地局と端末との間のスループットを代表する第１のスループット代表値と、第２の無線基地局と端末との間のスループットを代表する第２のスループット代表値とを求めることが記載されている。第１のスループット代表値と第２のスループット代表値とに基づいて、第１の無線基地局のカバレッジと第２の無線基地局のカバレッジとを調整する。【０００７】
さらに、特許文献１には、自局のカバレッジを調整する無線基地局について記載されている。無線基地局と端末との間のスループットに基づいて、無線基地局の通信エリア範囲を調整する。また、どちらの無線基地局を選択するかについて直接的には関与しない。【０００８】
また、特許文献２には、外部から受信したパラメータを、セルランク付け測定値に加算／減算し、加算／減算後のセルランク付け測定値に基づいてセルをランク付けし、ランク付けに基づいてセルの再選択を行なうことが記載されている。【０００９】
また、特許文献３には、セル個別オフセット（ＣＩＯ：Cell Individual Offset）パラメータを、フェムトセルがセル中心に存在する場合にはより低い値に設定し、フェムトセルがセルエッジに存在する場合にはより高い値に設定する技術が記載されている。
【先行技術文献】
【特許文献】
【００１０】
【特許文献１】国際公開第２０１１／１３６０８３号
【特許文献２】特表２０１０−５２１８７６号公報
【特許文献３】特表２０１３−５０９１０８号公報
【非特許文献】
【００１１】
【非特許文献１】“3rd Generation Partnership Project; Technical Specification Group Radio Access Network; Evolved Universal Terrestrial Radio Access (E-UTRA) and Evolved Universal Terrestrial Radio Access Network (E-UTRAN);Overall description; Stage 2(Release 10)”、3GPP TS36.300
【非特許文献２】“Uplink performance evaluation in heterogeneous deployment”、 R1-093433、3GPP TSG-RAN WG1 #58
【非特許文献３】"3rd Generation Partnership Project; Technical Specification Group Radio Access Network; Evolved Universal Terrestrial Radio Access (E-UTRA);Physical Channels and Modulation(Release 10)"、3GPP TS36.211
【非特許文献４】"3rd Generation Partnership Project;Technical Specification Group Radio Access Network; Evolved Universal Terrestrial Radio Access (E-UTRA);Physical layer;Measurements(Release 10)"、3GPP TS36.214
【発明の概要】
【発明が解決しようとする課題】
【００１２】
しかしながら、CREによるセル選択において、ＵＥは、セルの使用周波数リソース数を考慮せず、マクロセルおよびピコセルの各無線品質のみを考慮する。このため、接続先のセルにおいて、ＵＥの通信レートが低下する可能性がある。【００１３】
以下、ＵＥの通信レートが低下する理由について説明する。例えば、ピコセルの無線品質にオフセットを加えた値がマクロセルの無線品質よりも高く、マクロセルの使用周波数リソース数が少なく、かつ、ピコセルの使用周波数リソース数が多いケースを想定する。【００１４】
上記ケースにおいて、ＵＥはピコセルに接続される。しかしながら、ピコセルの使用周波数リソース数が多い状況とは、言い換えればピコセルの空き周波数リソース数が少ない状況である。従って、ＵＥにおいて、ピコセルから割り当てられる周波数リソースがマクロセルから割り当てられる周波数リソースよりも少なくなる可能性がある。その結果、接続先をマクロセルからピコセルへと切替えた後において、切替前よりも、ＵＥの通信レートが低下する可能性がある。【００１５】
本発明は上記課題を解決するためになされたものであり、無線通信端末の通信レートを低下させることなく、基地局の負荷を効果的に分散させることができる、無線通信端末、記憶媒体、及びセル選択方法を提供することを目的とする。
【課題を解決するための手段】
【００１６】
本発明の無線通信端末は、共通部分を有する第１セルおよび第２セルを含む無線ネットワークで使用される無線通信端末であって、前記第１セルの無線品質である第１品質と、前記第２セルの無線品質である第２品質と、を求める品質算出手段と、前記第１セルの使用可能周波数リソース数である第１リソース数と、前記第２セルの使用可能周波数リソース数である第２リソース数と、を求めるリソース数算出手段と、前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出手段と、前記第１セル選択係数と前記第２セル選択係数とを演算した結果に基づいて、前記第１セルと前記第２セルのいずれか一方を選択するセル選択手段と、を備える。【００１７】
本発明の記憶媒体は、共通部分を有する第１セルおよび第２セルを含む無線ネットワークで使用される無線通信端末のコンピュータに、前記第１セルの無線品質である第１品質と、前記第２セルの無線品質である第２品質と、を求める品質算出機能と、前記第１セルの使用可能周波数リソース数である第１リソース数と、前記第２セルの使用可能周波数リソース数である第２リソース数と、を求めるリソース数算出機能と、前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出機能と、前記第１セル選択係数と前記第２セル選択係数とを演算した結果に基づいて、前記第１セルと前記第２セルのいずれか一方を選択するセル選択機能と、を実行させるためのセル選択プログラムを記憶する。【００１８】
本発明のセル選択方法は、共通部分を有する第１セルおよび第２セルを含む無線ネットワークで使用される無線通信端末におけるセル選択方法であって、前記第１セルの無線品質である第１品質と、前記第２セルの無線品質である第２品質と、を求め、前記第１セルの使用可能周波数リソース数である第１リソース数と、前記第２セルの使用可能周波数リソース数である第２リソース数と、を求め、前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求め、前記第１セル選択係数と前記第２セル選択係数とを演算した結果に基づいて、前記第１セルと前記第２セルのいずれか一方を選択することを特徴とする。
【発明の効果】
【００１９】
本発明によれば、無線通信端末の通信レートを低下させることなく、基地局の負荷を効果的に分散させることができる。
【図面の簡単な説明】
【００２０】
【図１】本発明の第１の実施形態に係る無線通信システムの構成例を示すブロック図である。
【図２】図１に示されるＵＥの構成例を示すブロック図である。
【図３】図２に示されるセル選択係数計算部の動作例を説明するためのフローチャートである。
【図４】図２に示されるセル選択処理部の動作例を説明するためのフローチャートである。
【図５】本発明の第２の実施形態に係る無線通信システムの構成例を示すブロック図である。
【図６】図５に示されるＵＥの構成例を示すブロック図である。
【図７】図６に示されるセル選択係数計算部の動作例を説明するためのフローチャートである。
【図８】本発明の第３の実施形態に係る無線通信システムの構成例を示すブロック図である。
【図９】図８に示されるＵＥの構成例を示すブロック図である。
【図１０】図９に示されるピコセル収容状態判定部の動作例を説明するためのフローチャートである。
【図１１】図９に示されるオフセット値調整部の動作例を説明するためのフローチャートである。
【図１２】図９に示されるオフセット値生成部の動作例を説明するためのフローチャートである。
【図１３】一般的な、ヘテロジーニアスネットワークにおける無線通信システムの構成図である。
【図１４】本発明の第４の実施形態に係る無線通信端末の構成例を示すブロック図である。
【発明を実施するための形態】
【００２１】
本発明の実施形態では、ヘテロジーニアスネットワークを構成する第１のセル（例えば、マクロセル）及び第２のセル（例えば、ピコセル）の各無線品質に加え、各使用可能周波数リソース数を計算してセル選択係数を算出し、ＵＥの接続先セルを選択する。これにより、ＵＥの通信レートを犠牲にすることなく、第１のセル及び第２のセルの両方にトラフィックを効果的に分散することが可能となる。
［第１の実施形態］
（構成の説明）
図１は、本発明の第１の実施形態に係る無線通信システム１の構成例を示すブロック図である。無線通信システム１は、マクロセル基地局２が形成するマクロセル８の内側に、マクロセル８よりもセル半径が小さいピコセル９を形成するピコセル基地局３が配置されたヘテロジーニアスネットワークを構成するシステムである。このようなヘテロジーニアスネットワークは、例えば3GPPで標準化されたLTE-Advancedにて提供されている。
【００２２】
無線通信システム１は、マクロセル基地局２と、ピコセル基地局３と、ＵＥ４と、を備える。なお、図１では、説明をより明瞭なものとするために、マクロセル基地局２、ピコセル基地局３およびＵＥ４がそれぞれ１台であり、ＵＥ４はＵＥ４ａの位置である場合と、ＵＥ４ｂの位置である場合とを例示している。しかしながら、上記はあくまで一例であって、各構成の数は上記に限定されない。
【００２３】
マクロセル基地局２およびピコセル基地局３は、それぞれ、S1インタフェース５を介して、上位ノードであるコア・ネットワーク部のMME/SAE-GW６と通信することができる。また、マクロセル基地局２とピコセル基地局３は、X2インタフェース７を介して互いに通信することができる。
【００２４】
マクロセル基地局２は、ＵＥ４と通信することが可能なマクロセル８を形成する。ピコセル基地局３は、ＵＥ４と通信可能することが可能なピコセル９を形成する。ピコセル９は、マクロセル８よりも小さく、且つその全体がマクロセル８に包含されている。マクロセル８に接続されているＵＥ４をピコセル９に収容することにより、マクロセル基地局２の負荷は、ピコセル基地局３へ分散される。
【００２５】
図１において、ＵＥ４ａは、マクロセル８内に位置しているが、ピコセル９内には位置していない。一方、図１において、ＵＥ４ｂは、ピコセル９内に位置している。このとき、マクロセル８とピコセル９の包含関係から、ＵＥ４は必然的にマクロセル８の内側に位置する。マクロセル基地局２への負荷をピコセル基地局３に分散するという目的に適うため、原則としては、ＵＥ４がＵＥ４ａの位置にあるとき、ＵＥ４は、無線通信の相手基地局としてマクロセル基地局２を優先して選択する。一方、ＵＥ４がＵＥ４ｂの位置にあるとき、ＵＥ４は、ピコセル基地局３を優先して選択する。
【００２６】
図２は、図１に示されるＵＥ４の構成例を示すブロック図である。ＵＥ４は、無線品質計算部２１と、使用可能周波数リソース数計算部２２と、セル選択係数計算部２３と、セル選択処理部２４と、を備える。ＵＥ４の上記各構成要素は、専用の回路として実現されてもよいし、或いは、ＵＥ４が備える不図示の処理装置がプログラムに従って動作することにより実現されてもよい。
【００２７】
無線品質計算部２１は、マクロセル８及びピコセル９のそれぞれについて、無線品質の指標となる値を計算する。無線品質の指標は、例えば、RSRP(Reference Signal Received Power)、RSRQ(Reference Signal Received Quality)、SIR(Signal to Interference Ratio)等である。
【００２８】
以下の説明では、無線品質の指標がRSRPである場合を例に挙げる。無線品質計算部２１は、マイクロセル基地局２から送信される無線信号の参照信号に基づいて、マクロセル８のRSRP（以降、「M_RSRP」と呼ぶ）を求める。無線品質計算部２１は、ピコセル基地局３から送信される無線信号の参照信号に基づいて、ピコセル９のRSRP（以降、「P_RSRP」と呼ぶ）を求める。参照信号からRSRPを求める方法は、例えば、非特許文献４に記載された方法を用いることができる。
【００２９】
使用可能周波数リソース数計算部２２は、マクロセル８において使用可能な周波数リソースの数Ra_Macrocellと、ピコセル９において使用可能な周波数リソースの数Ra_Picocellと、を計算する。使用可能周波数リソース数計算部２２は、求めたRa_Macrocell及びRa_Picocellをセル選択係数計算部２３に渡す。
【００３０】
使用可能周波数リソース数計算部２２は、Ra_Macrocell及びRa_Picocellを次のようにして求める。まず、前提として、基地局からＵＥへの下り通信における周波数帯域の総RB（Resource Block）数をNrbと定義し、区間Tにて平均化されたピコセルの使用周波数リソース数をα(T)と定義し、区間Tにて平均化されたマクロセルの使用周波数リソース数をβ(T)と定義する。区間Tは、期間の長さを示す定数であり、例えば、非特許文献３に規定される下りチャネル信号の周期４０ミリ秒以上であれば特に限定されない。
【００３１】
使用可能周波数リソース数計算部２２は、Ra_Macrocell=Nrb-β（T）、及びRa_Picocell=Nrb-α（T）を計算する。
【００３２】
セル選択係数計算部２３は、マクロセル８及びピコセル９の各無線品質（M_RSRP、P_RSRP）と、マクロセル８及びピコセル９の各使用可能周波数リソース数（Ra_Macrocell、Ra_Picocell）とに基づいて、マクロセル８およびピコセル９の各セル選択係数を求める。セル選択係数は、マクロセル８及びピコセル９のどちらを選択するかを決定する際の指標となる係数である。セル選択係数は、例えば、そのセルの無線品質とそのセルの使用可能周波数リソース数を乗算したものである。即ち、マクロセル８のセル選択係数をf_Macrocellとし、ピコセル９のセル選択係数をf_Picocellとするとき、セル選択係数計算部２３は、f_Macrocell=M_RSRP×Ra_Macrocell及びf_Picocell=P_RSRP×Ra_Picocellを求める。セル選択係数計算部２３は、求めたセル選択係数f_Macrocell、f_Picocellをセル選択処理部２４に渡す。
（動作の説明）
図３は、図２に示されるセル選択係数計算部２３の動作例を説明するためのフローチャートである。セル選択係数計算部２３は、無線品質計算部２１から、マクロセル８及びピコセル９の各無線品質M_RSRP、P_RSRPを受け取る（ステップＳ１）。
【００３３】
セル選択係数計算部２３は、使用可能周波数リソース数計算部２２から、マクロセル８及びピコセル９の各使用可能周波数リソース数Ra_Macricell、Ra_Picocellを受け取る（ステップＳ２）。
【００３４】
セル選択係数計算部２３は、ピコセル９のセル選択係数f_Picocell=P_RSRP×Ra_Picocellを求める（ステップＳ３）。
【００３５】
セル選択係数計算部２３は、マクロセル８のセル選択係数f_Macrocell=M_RSRP×Ra_Macrocellを求める（ステップＳ４）。
【００３６】
セル選択係数計算部２３は、求めた各セル選択係数f_Picocell、f_Macrocellを、セル選択処理部２４に渡す（ステップＳ５）。
【００３７】
図４は、図２に示されるセル選択処理部２４の動作例を説明するためのフローチャートである。
【００３８】
セル選択処理部２４は、セル選択係数計算部２３からセル選択係数f_Picocell、f_Macrocellを受け取る（ステップＳ１１）。
【００３９】
セル選択処理部２４は、自身が備える記憶回路、或いは外部の記憶装置から、オフセット値Ａを取得する（ステップＳ１２）。ここで、オフセット値Ａは、予め設定される任意の定数である。
【００４０】
セル選択処理部２４は、セル選択係数f_Picocell、f_Macrocellとオフセット値Ａとに基づいて、マクロセル８及びピコセル９のいずれか一方を選択する。
【００４１】
具体的には、セル選択処理部２４は、ピコセル９のセル選択係数f_Picocellとオフセット値Ａとの和（f_Picocell＋Ａ）と、マクロセル８のセル選択係数f_Macrocellとの大小を比較する（ステップＳ１３）。
【００４２】
和f_Picocell＋Ａがf_Macrocellよりも大きい場合（ステップＳ１３において“はい”）、セル選択処理部２４は、ＵＥ4の接続先としてピコセル９を選択することを示すセル選択信号を出力する（ステップＳ１４）。
【００４３】
一方、和f_Picocell＋Ａがf_Macrocell以下の場合（ステップＳ１３において“いいえ”）、セル選択処理部２４は、ＵＥ４の接続先としてマクロセル８を選択することを示すセル選択信号を出力する（ステップＳ１５）。
（効果の説明）
以上説明した第１の実施形態において、ＵＥ４は、マクロセル８およびピコセル９のうち無線品質が良好で且つ使用可能な周波数リソース数が多いセルを接続先として選択する。従って、ＵＥ４の通信レートを低下させることなく、マクロセル基地局２の負荷を効果的に分散させることが可能となる。
［第２の実施形態］
第１の実施形態の場合、ＵＥの通信レートの維持とマクロセル基地局の負荷分散とを両立させるために、セル切替を抑制する制御は全く行われていない。しかしながら、一方で、セル切替を抑制しない制御の場合、セル切替が頻繁に実行されるため、システム全体として処理負荷（例えば、ＵＥにて実行するセル選択処理や基地局のハンドオーバ処理）が増大すると言う別の問題が発生する虞がある。
【００４４】
そこで、第２の実施形態は、ＵＥの通信レートの維持とマクロセル基地局の負荷分散とを達成しつつ、さらに、システム全体の処理負荷の増大を抑制させることを目的とする。
（構成の説明）
図５は、本発明の第２の実施形態に係る無線通信システム１００の構成例を示すブロック図である。無線通信システム１００は、第１の実施形態のＵＥ４に代えてＵＥ３０（図５では、ＵＥ３０ａ、ＵＥ３０ｂが示される）を備える。ＵＥ３０の特徴は、概略的には、セル選択の回数に応じた忘却係数（詳細については後述）を定め、今回計算したセル選択係数に対する前回算出されたセル選択係数の影響度を忘却係数に応じて変化させる点にある。
【００４５】
図６は、図５に示されるＵＥ３０の構成例を示すブロック図である。ＵＥ３０は、無線品質計算部３１と、使用可能周波数リソース数計算部３２と、前回セル選択係数格納部３３と、セル選択切替回数計数部３４と、忘却係数決定部３５と、セル選択係数計算部３６と、セル選択処理部３７と、を備える。ＵＥ３０の上記各構成要素は、専用の回路として実現されてもよいし、或いは、ＵＥ３０が備える不図示の処理装置がプログラムに従って動作することにより実現されてもよい。
【００４６】
無線品質計算部３１は、図２に示される無線品質計算部２１と同一であり、使用可能周波数リソース数計算部３２は、図２に示される使用可能周波数リソース数計算部２２と同一である。従って、これらの説明は省略する。
【００４７】
前回セル選択係数格納部３３は、後述するセル選択係数計算部３６によって計算される、マクロセル８のセル選択係数f_Macrocellとピコセル９のセル選択係数f_Picocellを受け取り記憶する。この場合、前回セル選択係数格納部３３は、各セル選択係数を、少なくとも次回のセル選択係数が計算されるまで記憶する。セル選択係数計算部３６によって次回のセル選択係数が計算される際、前回セル選択係数格納部３３は、格納している前回のセル選択係数f_Macrocell、f_Picocellを、セル選択係数計算部３６に渡す。
【００４８】
セル選択切替回数計数部３４は、後述するセル選択処理部３７が出力するセル選択結果に基づいて、選択されたセルが所定の期間内に切り替わった回数Ｎ（以降、「セル切替回数Ｎ」と呼ぶ）を数える。即ち、セル切替回数Ｎは、選択されたセルがピコセルからマクロセルに切り替わった回数と、選択されたセルがマクロセルからピコセルに切り替わった回数の和となる。例えば、ある期間内において、ピコセルを選択した状態から始まり、次にマクロセルを選択した状態に移行し、最後にピコセルを選択した状態に至った場合、この期間のセル切替回数Ｎは、２回となる。
【００４９】
忘却係数決定部３５は、セル選択切替回数計数部３４が出力したセル切替回数Ｎに応じて、忘却係数λを決定する。
【００５０】
例えば、Ｎが０の場合、忘却係数決定部３５は、忘却係数λを“０”に設定する。１≦Ｎ＜Ｍの場合、忘却係数決定部３５は、忘却係数λを“ａ”に設定する。Ｍ≦Ｎの場合、忘却係数決定部３５は、忘却係数λを“ｂ”に設定する。
【００５１】
ただし、上記において、ａとｂは、０＜ａ＜ｂ＜１の関係にあり、セル切替回数Ｎは、直近の時間区間ＴＴで測定されたセル切替回数である。時間区間ＴＴは、例えば、一区間１０分である。また、上記において、Ｍは、予め設定される任意の整数である。
【００５２】
すなわち、忘却係数λは、セル切替頻度（所定の期間、例えば、１０分間当たりのセル切替回数）を、０〜１の間の値で示したものである。
【００５３】
セル選択係数計算部３６は、無線品質計算部３１、使用可能周波数リソース数計算部３２、前回セル選択係数格納部３３、及び、忘却係数決定部３５の各出力に基づいて、マクロセル８及びピコセル９それぞれのセル選択係数f_Macrocell、f_Picocellを計算する。
【００５４】
セル選択係数計算部３６は、以下に示される式１に基づいて、ピコセル９のセル選択係数f_Picocell(t)を計算する。図１において、ｔは連続した複数の期間のうちのひとつを示す変数である。ここでは、tは現在のセル選択期間、t-1は1つ前のセル選択期間を表す。
【００５５】
f_Picocell(t)=
λ×f_Picocell(t-1)＋（１−λ）×［Nrb-α(T)］×P_RSRP(i)          …（式１）
セル選択係数計算部３６は、以下に示される式２に基づいて、マクロセル８のセル選択係数f_Macrocell(t)を計算する。
【００５６】
f_Macrocell(t)=
λ×f_Macrocell(t-1)＋（１−λ）×［Nrb-β(T)］×M_RSRP(i)          …（式２）
セル選択係数計算部３６は、計算されたセル選択係数f_Macrocell、f_Picocellを、前回セル選択係数格納部３３およびセル選択処理部３７に渡す。尚、前回セル選択係数格納部３３は、現在格納しているセル選択係数f_Macrocell、f_Picocellを削除し、代わって、受け取ったセル選択係数f_Macrocell、f_Picocellを格納する。
（動作の説明）
図７は、図６に示されるセル選択係数計算部３６の動作例を説明するためのフローチャートである。
【００５７】
セル選択係数計算部３６は、マクロセル８及びピコセル９それぞれの無線品質を示す値として、例えばRSRPを無線品質計算部３１から取得する（ステップＳ２１）。ここで、識別子ｉのＵＥ(i)における、マクロセル８のRSRPをM_RSRP(i)とし、ピコセル９のRSRPをP_RSRP(i)とする。
【００５８】
セル選択係数計算部３６は、マクロセル８の使用可能周波数リソース数Nrb-β(T)と、ピコセル９の使用可能周波数リソース数Nrb-α(T)を、使用可能周波数リソース数計算部３２から取得する（ステップＳ２２）。
【００５９】
セル選択係数計算部３６は、マクロセル８及びピコセル９それぞれの前回のセル選択係数f_Macrocell(t-1)、f_Picocell(t-1)を、前回セル選択係数格納部３３から取得する（ステップＳ２３）。
【００６０】
セル選択係数計算部３６は、忘却係数λを、忘却係数決定部３５から取得する（ステップＳ２４）。
【００６１】
セル選択係数計算部３６は、取得した各値を上述の式１、式２に代入し、マクロセル８の今回のセル選択係数f_Macrocell(t)と、ピコセル９の今回のセル選択係数f_Picocell(t)とを計算する（ステップＳ２５、Ｓ２６）。
【００６２】
セル選択係数計算部３６は、セル選択係数f_Macrocell(t)、f_Picocell(t)を、セル選択処理部３７に渡す（ステップＳ２７）。
【００６３】
セル選択係数計算部３６は、セル選択係数f_Macrocell(t)、f_Picocell(t)を、前回セル選択係数格納部３３に格納する（ステップＳ２８）。前回セル選択係数格納部３３は、現在格納している前回のセル選択係数f_Macrocell(t-1)、f_Picocell(t-1)を、今回のセル選択係数f_Macrocell(t)、f_Picocell(t)に書き換える。
【００６４】
セル選択処理部３７は、セル選択係数計算部３６から渡されたセル選択係数f_Picocell、f_Macrocellに基づいて、マクロセル８、ピコセル９のいずれか一方を選択する出力を行なう。セル選択処理部３７の動作は、既に説明したセル選択処理部２４と最後の処理を除いて同じである。即ち、図４を参照すると、セル選択処理部３７は、ステップＳ１１からＳ１３と同一の処理を実行する。ステップＳ１４、Ｓ１５において、セル選択処理部３７は、セル選択信号を外部に出力するだけではなく、セル選択切替回数計数部３４に渡す。
（効果の説明）
以上説明した第２の実施形態において、ＵＥ３０は、式１により算出されたセル選択係数f_Picocellと、式２により算出されたセル選択係数f_Macrocellに基づいて、セル選択を行う。式１および式２において、忘却係数λが大きくなるほど（すなわち、セル切替頻度が高くなるほど）、期間ｔ−１（すなわち、１つ前のセル選択期間）におけるセル選択係数の影響が強くなる。このことは、期間ｔ−１においてＵＥ３０がマクロセル８かピコセル９のどちらかに接続しているとき、ＵＥ３０とその接続中のセルとの接続状態が維持され易くなることを意味する。
【００６５】
すなわち、第２の実施形態では、期間ｔ−１におけるセル選択係数の影響を強く受けたセル選択係数を用いてセル選択処理が実行されるので、期間ｔ−１のセル選択係数を使用したセル選択処理結果と同じ結果が得られやすい。すなわち、１つ前のセル選択期間の状態が維持され易くなるため、その結果としてセル選択切替の発生を抑制することができる。
【００６６】
以上を纏めると、第２の実施形態によれば、ＵＥの通信レートの維持とマクロセル基地局の負荷分散とを達成しつつ、さらに、システム全体の処理負荷の増大を抑制させることが可能となる。
［第３の実施形態］
一般的に、ピコセルにおける収容ＵＥ数の上限は、マクロセルにおける収容ＵＥ数の上限よりも小さい。従って、ピコセルにおいて局所的に高密度のトラフィックが発生している場合、ピコセルの収容ＵＥ数は、上限に到達し易くなる。
【００６７】
ここで、収容ＵＥ数が上限に到達してピコセルに空きがない状況下において、新たに接続を試みるＵＥ（以降、「新規ＵＥ」と呼ぶ）がその接続先としてピコセルを選択したケースを想定する。上記ケースにおいて、上述したとおり、ピコセルには空きがないので、接続先として選択したにも関わらず、実際には、ＵＥは、ピコセルに接続できない。こうしたセル選択は、ＵＥの接続機会の減少を引き起こす。
【００６８】
そこで、第３の実施形態は、ＵＥの通信レートの維持とマクロセル基地局の負荷分散とを達成しつつ、さらに、ＵＥの接続機会の減少を抑止することを目的とする。
（構成の説明）
図８は、本発明の第３の実施形態に係る無線通信システム２００の構成例を示すブロック図である。図８に示すように、無線通信システム２００は、第１の実施形態のＵＥ４に代えてＵＥ４０を備える。
【００６９】
図９は、図８に示されるＵＥ４０の構成例を示すブロック図である。第１の実施形態のＵＥ４が所定のオフセット値を用いてセル選択処理を実行するのに対して、ＵＥ４０はピコセルの現在の収容端末数に応じて定めたオフセット値を用いてセル選択処理を実行する。このため、ＵＥ４０は、ＵＥ４が備える、無線品質計算部２１と使用可能周波数リソース数計算部２２とセル選択係数計算部２３とに加えて、ピコセル収容状態判定部４１と、オフセット値調整部４２と、オフセット値生成部４３とを更に備える。また、ＵＥ４０は、セル選択処理部２４に代えてセル選択処理部４４を備える。ＵＥ４０の上記各構成要素は、専用の回路として実現されてもよいし、或いは、ＵＥ４０が備える不図示の処理装置がプログラムに従って動作することにより実現されてもよい。
【００７０】
上述したように、無線品質計算部２１と使用可能周波数リソース数計算部２２とセル選択係数計算部２３は、ＵＥ４の対応する各構成要素と同一であるので、これらの説明は省略する。
（効果の説明）
図１０は、図９に示されるピコセル収容状態判定部４１の動作例を説明するためのフローチャートである。
【００７１】
ピコセル収容状態判定部４１は、ピコセル９に現在収容中のＵＥの数の大小を判定する。具体的には、例えば、ピコセル収容状態判定部４１は、収容中のＵＥの数を「最大」「大」「小」の３段階のいずれかとして判定し、その判定結果をピコセル収容状態として出力する。
【００７２】
ピコセル９には、収容可能なＵＥの数の上限（ピコセル収容ＵＥ上限）が予め定められている。ピコセル収容状態判定部４１は、ピコセル９に現在に収容されているＵＥの数（ピコセル収容ＵＥ数）が、ピコセル収容ＵＥ上限に一致するか否かを判定する（ステップＳ３１）。
【００７３】
ピコセル収容ＵＥ数がピコセル収容ＵＥ上限に達している場合（ステップＳ３１において“はい”）、ピコセル収容状態判定部４１は、ピコセル収容状態を「最大」と判定する（ステップＳ３２）。
【００７４】
一方、ピコセル収容ＵＥ数がピコセル収容ＵＥ上限と不一致の場合（ステップＳ３１において“いいえ”）、ピコセル収容状態判定部４１は、ピコセル収容ＵＥ数と閾値ＵＥ_lowとの大小を比較する（ステップＳ３３）。ここで、ＵＥ_lowは予め設定される０以上の整数であり、この値よりもピコセル収容ＵＥ数が少ない場合、ピコセルは収容数に余裕があると判断される。
【００７５】
ピコセル収容ＵＥ数がＵＥ_low以上の場合（ステップＳ３３において“はい”）、ピコセル収容状態判定部４１は、ピコセル収容状態を「大」と判定する（ステップＳ３４）。
【００７６】
一方、ピコセル収容ＵＥ数がＵＥ_low未満の場合（ステップＳ３３において“いいえ”）、ピコセル収容状態判定部４１は、ピコセル収容状態を「小」と判定する（ステップＳ３５）。
【００７７】
図１１は、図９に示されるオフセット値調整部４２の動作例を説明するためのフローチャートである。
【００７８】
まず、オフセット値調整部４２は、表１のようなオフセット値調整テーブルを予め格納している。
【００７９】
［表1］
2015079695.tif 000003
【００８０】
オフセット値調整部４２は、上記オフセット値調整テーブルを参照することにより、ピコセル収容状態判定部４１から受け取ったピコセル収容状態に対応するオフセット調整値ΔAを出力する。即ち、オフセット値調整部４２は、ピコセル収容状態が「最大」「大」「小」のどれであるかを判定する（ステップＳ４１）。
【００８１】
ピコセル収容状態が「最大」である場合（ステップＳ４１において“最大”）、オフセット値調整部４２は、オフセット値ΔAとしてのΔA_largeを、オフセット値生成部４３に出力する（ステップＳ４２）。
【００８２】
ピコセル収容状態が「大」である場合（ステップＳ４１において“大”）、オフセット値調整部４２は、オフセット値ΔAとしてのΔA_smallを、オフセット値生成部４３に出力する（ステップＳ４３）。
【００８３】
ピコセル収容状態が「小」である場合（ステップＳ４１において“小”）、オフセット値調整部４２は、オフセット値ΔAとしての０を、オフセット値生成部４３に出力する（ステップＳ４４）。
【００８４】
図１２は、図９に示されるオフセット値生成部４３の動作例を説明するためのフローチャートである。
【００８５】
前提として、オフセット値生成部４３は、初期オフセット値ＡＯを予め格納している。
【００８６】
オフセット値生成部４３は、オフセット値調整部４２からオフセット調整値ΔAを取得する（ステップＳ５１）。
【００８７】
オフセット値生成部４３は、初期オフセット値ＡＯからオフセット調整値ΔＡを減算することにより、オフセット値を更新する（ステップＳ５２）。即ち、オフセット値生成部４３は、「オフセット値Ａ＝初期オフセット値ＡＯ−オフセット調整値ΔＡ」を計算する。
【００８８】
次に、セル選択処理部４４の動作について説明する。セル選択処理部４４の動作は、第１の実施形態におけるセル選択処理部２４の動作と基本的には同じである。ただし、図４におけるステップＳ１２において取得するオフセット値を、オフセット値生成部４３から受け取る点のみが異なる。
（効果の説明）
以上説明した第３の実施形態において、ＵＥ４０は、マクロセル８およびピコセル９のうち無線品質が良好で且つ使用可能な周波数リソース数が多いセルを接続先として選択する。従って、ＵＥ４０の通信レートを低下させることなく、マクロセル基地局２の負荷を効果的に分散させることが可能となる。
【００８９】
さらに、第３の実施形態において、ＵＥ４０は、ピコセル９が現在収容中のＵＥの数に応じて、ピコセルのセル選択係数f_Picocellに加算するオフセット値Ａを調整する。具体的には、例えば、ピコセル収容ＵＥ数が大きい場合にはオフセット値Ａを小さくし、ピコセル収容ＵＥ数が小さい場合にはオフセット値Ａを大きくする。これにより、図４におけるステップＳ１３の条件分岐において、ピコセル収容ＵＥ数が大きいとマクロセルが選択されやすくなり、逆に、ピコセル収容ＵＥ数が小さいとピコセルが選択されやすくなる。
【００９０】
ピコセル収容ＵＥ数に空きがない状態では、ピコセル９の中心付近に新規にＵＥが出現した場合や、マクロセル８からピコセル９に移動したＵＥが存在する場合に、そうしたＵＥをピコセル９には接続することはできない。そこで、ピコセル収容ＵＥ数に空きがない、もしくは空きが少ない場合には、オフセット調整値ΔＡを大きくすることにより、オフセット値Ａ自体を小さくする。すると、ピコセル９のセルエッジ付近に位置する等の理由により無線品質が悪いＵＥをマクロセル８にオフロードしやすくしつつ、無線品質が良いＵＥを優先的にピコセルに接続することとなる。逆に、ピコセル収容ＵＥ数に余裕がある状態では、オフセット調整値ΔＡをゼロとし、オフセット初期値ＡＯをそのままオフセット値Ａとして用いて、マクロセル８のトラフィックをピコセル９にオフロードしやすくする。
【００９１】
これにより、マクロセル８のトラフィックを、ピコセル９が現在に収容しているＵＥの数に応じて分散させることができる。
【００９２】
以上を纏めると、第３の実施形態によれば、ＵＥの通信レートの維持とマクロセル基地局の負荷分散とを達成しつつ、さらに、ＵＥの接続機会の減少を抑止することが可能となる。
（変形例の説明）
以上の第１〜第３の実施形態では、マクロセルとピコセルの組み合わせが例示されているが、セルの組み合わせは、上記に限定されない。例えば、セルの組み合わせは、セル半径が互いに異なる他のセルの組み合わせであれば如何なる組み合わせであってもよい。例えば、上記組み合わせは、マクロセルとマイクロセルの組み合わせや、マクロセルとフェムトセルの組み合わせであってもよい。
【００９３】
また、以上の第１〜第３の実施形態では、ピコセルの全体がマクロセルに完全に包含されているセル構成が例示されているが、セル構成は、上記に限定されない。例えば、セル構成は、ピコセルとマクロセルの一部同士がオーバーラップしているセル構成であってもよい。この場合、必ずしもセル半径は異なっていなくてもよい。
［第４の実施形態］
図１４は、本発明の第４の実施形態に係る無線通信端末３００の構成例を示すブロック図である。
【００９４】
無線通信端末３００は、第１セルと第２セルを備え、一方のセルが他方のセルに包含されるか、あるいは両方のセルの一部同士がオーバーラップするネットワークで使用される。
【００９５】
無線通信端末３００は、品質算出手段３０２と、リソース数算出手段３０４と、係数算出手段３０６と、セル選択手段３０８と、を備える。
【００９６】
品質算出手段３０２は、第１セルの無線品質である第１品質と、第２セルの無線品質である第２品質と、を求める。
【００９７】
リソース数算出手段３０４は、第１セルの使用可能周波数リソース数である第１リソース数と、第２セルの使用可能周波数リソース数である第２リソース数と、を求める。
【００９８】
係数算出手段３０６は、第１品質と第１リソース数とに基づいて第１セルのセル選択係数である第１セル選択係数を求め、第２品質と第２リソース数とに基づいて第２セルのセル選択係数である第２セル選択係数を求める。
【００９９】
セル選択手段３０８は、第１セル選択係数と第２セル選択係数とに基づいて、第１セルと第２セルのいずれか一方を選択する。
【０１００】
以上説明した第４の実施形態において、無線通信端末３００は、第１セルおよび第２セルのうち無線品質が良好で且つ使用可能な周波数リソース数が多いセルを接続先として選択する。従って、無線通信端末３００の通信レートを低下させることなく、一方のセルの負荷を他方のセルに効果的に分散させることが可能となる。
【０１０１】
上記の実施形態の一部又は全部は以下の付記のようにも記載されうるが、これらに限定されるものではない。
（付記１）
共通部分を有する第１セルおよび第２セルを含む無線ネットワークで使用される無線通信端末であって、
前記第１セルの無線品質である第１品質と、前記第２セルの無線品質である第２品質と、を求める品質算出手段と、
前記第１セルの使用可能周波数リソース数である第１リソース数と、前記第２セルの使用可能周波数リソース数である第２リソース数と、を求めるリソース数算出手段と、
前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出手段と、
前記第１セル選択係数と前記第２セル選択係数とを演算した結果に基づいて、前記第１セルと前記第２セルのいずれか一方を選択するセル選択手段と
を備えることを特徴とする無線通信端末。
（付記２）
前回算出された、前記第１セル選択係数および前記第２セル選択係数を記憶する記憶手段を、更に備え、
前記係数算出手段は、前記第１品質と前記第１リソース数と前回算出された前記第１セル選択係数とに基づいて前記第１セル選択係数を求め、前記第２品質と前記第２リソース数と前回算出された前記第２セル選択係数とに基づいて前記第２セル選択係数を求める
ことを特徴とする付記１に記載の無線通信端末。
（付記３）
所定の期間内におけるセル切替回数を求める回数算出手段と、
前記セル切替回数に基づいて、前記所定の期間におけるセル切替頻度を示す値である忘却係数を定める係数設定手段と
を、更に備え、
前記係数算出手段は、前記第１セル選択係数に対する前回算出された前記第１セル選択係数の影響度を前記忘却係数に応じて変化させ、前記第２セル選択係数に対する前回算出された前記第２セル選択係数の影響度を前記忘却係数に応じて変化させる
ことを特徴とする付記２に記載の無線通信端末。
（付記４）
前記セル選択手段は、前記第１セル選択係数と、前記第２セル選択係数に予め定められたオフセット値を加算したものとの大小を比較し、その比較の結果に応じてセルを選択することを特徴とする付記１乃至付記３のいずれか１項に記載の無線通信端末。
（付記５）
前記第１セル及び第２セルのいずれかにおける現在の収容端末数に応じて、前記オフセット値を求めるオフセット算出手段を、更に備えることを特徴とする付記４に記載の無線通信端末。
（付記６）
前記オフセット算出手段は、収容端末数を複数に区分し、前記区分に応じてオフセット調整値を定め、予め定められた初期オフセット値から前記オフセット調整値を減算することにより、前記オフセット値を求めることを特徴とする付記５に記載の無線通信端末。
（付記７）
付記１乃至付記６のいずれかに記載の無線通信端末と、
前記第１セルを形成する第１基地局と、
前記第２セルを形成する第２基地局と
を備える無線通信システム。
（付記８）
共通部分を有する第１セルおよび第２セルを含む無線ネットワークで使用される無線通信端末のコンピュータに、
前記第１セルの無線品質である第１品質と、前記第２セルの無線品質である第２品質と、を求める品質算出機能と、
前記第１セルの使用可能周波数リソース数である第１リソース数と、前記第２セルの使用可能周波数リソース数である第２リソース数と、を求めるリソース数算出機能と、
前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出機能と、
前記第１セル選択係数と前記第２セル選択係数とを演算した結果に基づいて、前記第１セルと前記第２セルのいずれか一方を選択するセル選択機能と
を実行させるためのセル選択プログラムを記憶する記憶媒体。
（付記９）
前記セル選択プログラムは、前回算出された、前記第１セル選択係数および前記第２セル選択係数を記憶する記憶機能を、更に備え、
前記係数算出機能は、前記第１品質と前記第１リソース数と前回算出された前記第１セル選択係数とに基づいて前記第１セル選択係数を求め、前記第２品質と前記第２リソース数と前回算出された前記第２セル選択係数とに基づいて前記第２セル選択係数を求める
ことを特徴とする付記８に記載の記憶媒体。
（付記１０）
前記セル選択プログラムは、
所定の期間内におけるセル切替回数を求める回数算出機能と、
前記セル切替回数に基づいて、前記所定の期間におけるセル切替頻度を示す値である忘却係数を定める係数設定機能と
を、更に備え、
前記係数算出機能は、前記第１セル選択係数に対する前回算出された前記第１セル選択係数の影響度を前記忘却係数に応じて変化させ、前記第２セル選択係数に対する前回算出された前記第２セル選択係数の影響度を前記忘却係数に応じて変化させる
ことを特徴とする付記９に記載の記憶媒体。
（付記１１）
前記セル選択機能は、前記第１セル選択係数と、前記第２セル選択係数に予め定められたオフセット値を加算したものとの大小を比較し、その比較の結果に応じてセルを選択することを特徴とする付記８乃至付記１０のいずれか１項に記載の記憶媒体。
（付記１２）
前記セル選択プログラムは、
前記第１セル及び第２セルのいずれかにおける現在の収容端末数に応じて、前記オフセット値を求めるオフセット算出機能を、更に備えることを特徴とする付記１１に記載の記憶媒体。
（付記１３）
前記オフセット算出機能は、収容端末数を複数に区分し、前記区分に応じてオフセット調整値を定め、予め定められた初期オフセット値から前記オフセット調整値を減算することにより、前記オフセット値を求めることを特徴とする付記１２に記載の記憶媒体。
（付記１４）
共通部分を有する第１セルおよび第２セルを含む無線ネットワークで使用される無線通信端末におけるセル選択方法であって、
前記第１セルの無線品質である第１品質と、前記第２セルの無線品質である第２品質と、を求める品質算出ステップと、
前記第１セルの使用可能周波数リソース数である第１リソース数と、前記第２セルの使用可能周波数リソース数である第２リソース数と、を求めるリソース数算出ステップと、
前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出ステップと、
前記第１セル選択係数と前記第２セル選択係数とを演算した結果に基づいて、前記第１セルと前記第２セルのいずれか一方を選択するセル選択ステップと
を備えることを特徴とするセル選択方法。
（付記１５）
前回算出された、前記第１セル選択係数および前記第２セル選択係数を記憶する記憶ステップを、更に備え、
前記係数算出ステップは、前記第１品質と前記第１リソース数と前回算出された前記第１セル選択係数とに基づいて前記第１セル選択係数を求め、前記第２品質と前記第２リソース数と前回算出された前記第２セル選択係数とに基づいて前記第２セル選択係数を求める
ことを特徴とする付記１４に記載のセル選択方法。
（付記１６）
所定の期間内におけるセル切替回数を求める回数算出ステップと、
前記セル切替回数に基づいて、前記所定の期間におけるセル切替頻度を示す値である忘却係数を定める係数設定ステップと
を、更に備え、
前記係数算出ステップは、前記第１セル選択係数に対する前回算出された前記第１セル選択係数の影響度を前記忘却係数に応じて変化させ、前記第２セル選択係数に対する前回算出された前記第２セル選択係数の影響度を前記忘却係数に応じて変化させる
ることを特徴とする付記１５に記載のセル選択方法。
（付記１７）
前記セル選択ステップは、前記第１セル選択係数と、前記第２セル選択係数に予め定められたオフセット値を加算したものとの大小を比較し、その比較の結果に応じてセルを選択することを特徴とする付記１４乃至付記１６のいずれか１項に記載のセル選択方法。
（付記１８）
前記第１セル及び第２セルのいずれかにおける現在の収容端末数に応じて、前記オフセット値を求めるオフセット算出ステップを、更に備えることを特徴とする付記１７に記載のセル選択方法。
（付記１９）
前記オフセット算出ステップは、収容端末数を複数に区分し、前記区分に応じてオフセット調整値を定め、予め定められた初期オフセット値から前記オフセット調整値を減算することにより、前記オフセット値を求めることを特徴とする付記１８に記載のセル選択方法。
【０１０２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１０３】
この出願は、２０１３年１１月２８日に出願された日本出願特願２０１３−２４６２８９号を基礎とする優先権を主張し、その開示の全てをここに取り込む。
【符号の説明】
【０１０４】
１、１００、２００    無線通信システム
２    マクロセル基地局
３    ピコセル基地局
４、４ａ、４ｂ、３０、３０ａ、３０ｂ、４０、４０ａ、４０ｂ    ＵＥ
５    S1インタフェース
６    MME/SAE-GW
７    X1インタフェース
８    マクロセル
９    ピコセル
２１、３１    無線品質計算部
２２、３２    使用可能周波数リソース数計算部
２３、３６    セル選択係数計算部
２４、３７    セル選択処理部
３３    前回セル選択係数格納部
３４    セル選択切替回数計数部
３５    忘却係数決定部
４１    ピコセル収容状態判定部
４２    オフセット値調整部
４３    オフセット値生成部
３００    無線通信端末
３０２    品質算出手段
３０４    リソース数算出手段
３０６    係数算出手段
３０８    セル選択手段
【図１】
2015079695.tif 000004
【図２】
2015079695.tif 000005
【図３】
2015079695.tif 000006
【図４】
2015079695.tif 000007
【図５】
2015079695.tif 000008
【図６】
2015079695.tif 000009
【図７】
2015079695.tif 000010
【図８】
2015079695.tif 000011
【図９】
2015079695.tif 000012
【図１０】
2015079695.tif 000013
【図１１】
2015079695.tif 000014
【図１２】
2015079695.tif 000015
【図１３】
2015079695.tif 000016
【図１４】
2015079695.tif 000017
【手続補正書】
【提出日】平成28年5月20日(2016.5.20)
【手続補正２】
【補正対象書類名】特許請求の範囲
【補正対象項目名】請求項８
【補正方法】変更
【補正の内容】
【請求項８】
共通部分を有する第１セルおよび第２セルを含む無線ネットワークで使用される無線通信端末のコンピュータに、
前記第１セルの無線品質である第１品質と、前記第２セルの無線品質である第２品質と、を求める品質算出機能と、
前記第１セルの使用可能周波数リソース数である第１リソース数と、前記第２セルの使用可能周波数リソース数である第２リソース数と、を求めるリソース数算出機能と、
前記第１品質と前記第１リソース数とを演算した結果に基づいて前記第１セルのセル選択係数である第１セル選択係数を求め、前記第２品質と前記第２リソース数とを演算した結果に基づいて前記第２セルのセル選択係数である第２セル選択係数を求める係数算出機能と、
前記第１セル選択係数と前記第２セル選択係数とを演算した結果に基づいて、前記第１セルと前記第２セルのいずれか一方を選択するセル選択機能と
を実行させるためのプログラム。
【国際調査報告】
2015079695.tif 000018
2015079695.tif 000019
2015079695.tif 000020
2015079695.tif 000021